(57)【要約】【課題】パチンコ玉の動きに十分な躍動性や意外性を付与することができる、パチンコゲーム機を提供する。【解決手段】パチンコ玉が遊動する盤面７と、該盤面７の外部に配設された表示部５ｂと、を備え、前記盤面７の全体を使って、前記パチンコ玉の遊動可能領域が形成されている。従来のものと違って、前記盤面７が、前記表示部５ｂで侵食されていないので、前記盤面７上におけるパチンコ玉障害物の配置や設計の自由度が増す。このため、パチンコ玉の動きに躍動性や意外性を付与することができる。【選択図】    図１
2004222883.tif 000002
【特許請求の範囲】
【請求項１】
パチンコ玉が遊動する盤面（７）と、該盤面（７）の外部に配設された表示部（５ｂ）と、を備え、前記盤面（７）の全体を使って、前記パチンコ玉の遊動可能領域が形成されている、パチンコゲーム機。
【請求項２】
盤面（７）と、該盤面（７）の全体を覆って該盤面（７）との間にパチンコ玉の遊動空間（Ｓ１）を形成する透明カバー（９）と、を有するパチンコ盤（３）と、該パチンコ盤（３）の外部に配設された表示部（５ｂ）と、を備え、前記パチンコ盤（３）の全体を使って、前記パチンコ玉の遊動可能領域が形成されている、パチンコゲーム機。
【請求項３】
前記表示部が、麻雀牌表示部（５ｂ）とされている、請求項１または２に記載のパチンコゲーム機。
【請求項４】
前記パチンコ玉の動きを見やすくするための光を前記盤面（７）の全体に供給する光源（１０）を備えている、請求項１，２または３に記載のパチンコゲーム機。
【請求項５】
パチンコゲーム部（３）と麻雀ゲーム部（５）とを備え、前記パチンコゲーム部（３）においてゲーム結果として得られたツモ牌を組み合わせて前記麻雀ゲーム部（５）で遊技者が役を作っていくゲーム機（１）であって、前記麻雀ゲーム部（５）を構成する麻雀牌表示部（５ｂ）が、前記パチンコゲーム部（３）を構成するパチンコ盤面（７）の外部に配設され、該パチンコ盤面（７）の全体を使って、パチンコ玉の遊動可能領域が形成されている、ゲーム機。
【発明の詳細な説明】
【０００１】
【発明の属する技術分野】
本発明は、パチンコゲーム機及びゲーム機に関するものである。
【０００２】
【従来の技術】
従来、業務用パチンコ台においては、パチンコ玉が跳ね動く盤面に、釘や羽根車や、チューリップと言われる開閉式玉受口等の部品が取着されるとともに、ゲームに必要な表示部も、前記盤面内に配置されていた。そして、前記表示部を見やすくするため、前記盤面の内、前記表示部以外の領域を、前記パチンコ玉の遊動可能領域としていた。
【０００３】
【発明が解決しようとする課題】
このため、前記従来のものでは、前記表示部の面積分だけ、前記盤面の中のパチンコ玉遊動可能領域が侵食されていることになり、パチンコ玉の動きに躍動性や意外性を付与する上での制約となっていた。
【０００４】
そこで、本発明は、前記従来の欠点を除去した、面白さ溢れるパチンコゲーム機及びゲーム機を提供しようとするものである。
【０００５】
【課題を解決するための手段】
前記課題を解決するため、本発明に係るパチンコゲーム機は、パチンコ玉が遊動する盤面と、該盤面の外部に配設された表示部と、を備え、前記盤面の全体を使って、前記パチンコ玉の遊動可能領域が形成されたことを特徴としている（請求項１）。
【０００６】
また、他の実施の形態に係るパチンコゲーム機は、盤面と、該盤面の全体を覆って該盤面との間にパチンコ玉の遊動空間を形成する透明カバーと、を有するパチンコ盤と、該パチンコ盤の外部に配設された表示部と、を備え、前記パチンコ盤の全体を使って、前記パチンコ玉の遊動可能領域が形成されたことを特徴としている（請求項２）。
【０００７】
本発明によれば、従来のものと違って、前記盤面が、前記表示部で侵食されておらず、前記盤面の全体を使って、前記パチンコ玉の遊動可能領域が形成されているので、前記盤面上におけるパチンコ玉障害物の配置や設計の自由度が増している。このため、パチンコ玉の動きに十分な躍動性や意外性を付与することができる。
【０００８】
好適な実施の一形態として、前記表示部が、麻雀牌表示部とされたものとすることもできる（請求項３）。この場合、本発明の利点が特に明瞭に表れる。すなわち、従来の考え方にしたがって、麻雀牌の表示を盤面内に行うと、個数の多い麻雀牌の表示で盤面内におけるパチンコ玉遊動可能領域が大きく侵食されてしまうが、本実施の形態のものによれば、前記盤面の全体を使ってパチンコ玉を遊動させるように設計することができるからである。
【０００９】
好適な実施の一形態として、前記パチンコ玉の動きを見やすくするための光を前記盤面の全体に供給する光源を備えたものとすることもできる（請求項４）。このようにすれば、前記光源からの光によって、前記盤面の全体において、パチンコ玉の動きが見やすくなるので、ゲームをし易く、ゲームによる疲労感も少ない。
【００１０】
また、本発明に係るゲーム機は、パチンコゲーム部と麻雀ゲーム部とを備え、前記パチンコゲーム部においてゲーム結果として得られたツモ牌を組み合わせて前記麻雀ゲーム部で遊技者が役を作っていくゲーム機であって、前記麻雀ゲーム部を構成する麻雀牌表示部が、前記パチンコゲーム部を構成するパチンコ盤面の外部に配設され、該パチンコ盤面の全体を使って、パチンコ玉の遊動可能領域が形成されたことを特徴としている（請求項５）。
【００１１】
前記ゲーム機では、パチンコゲームの面白さと麻雀ゲームの面白さとが融合され、それぞれのゲーム単体では得られない面白さを味わうことができる。しかも、前記麻雀ゲーム部を構成する麻雀牌表示部が、前記パチンコゲーム部を構成するパチンコ盤面の外部に配設され、該パチンコ盤面の全体を使って、パチンコ玉の遊動可能領域が形成されているので、前記パチンコ盤面上におけるパチンコ玉障害物の配置や設計の自由度が増している。このため、パチンコ玉の動きに十分な躍動性や意外性を付与することができる。
【００１２】
【発明の実施の形態】
以下、添付図面を参照して、本発明の好適な一実施の形態について説明する。
【００１３】
図１は、本発明の一実施の形態に係るゲーム機の全体斜視図、図２は、図１の縦断面図である。
【００１４】
図１において、本実施の形態に係るゲーム機１は、筐体２と、該筐体２内に配設されたゲーム盤としてのパチンコ盤３と、前記筐体２に付設された表示装置５と、同じく前記筐体２に付設された操作盤６と、を備えている。前記パチンコ盤３は、その盤面７（フィールド面）が実質的に縦面又は垂直面となるように前記筐体２内に配置されている。前記操作盤６は、前記パチンコ盤３に対面する遊技者から見て手元となる位置に配置され、前記操作盤６と前記パチンコ盤３との間に、前記表示装置５が配置されている。
【００１５】
本実施の形態では、前記ゲーム機１は、パチンコゲームと麻雀ゲームとを合わせた内容のゲームを行うことができるものとされている。すなわち、前記パチンコ盤３は、ツモ牌を決めるためのゲーム部として使用され、前記表示装置５は、前記パチンコ盤３においてゲーム結果として得られたツモ牌を組み合わせて、遊技者が役を作っていくための麻雀ゲーム部として使用される。このため、本実施の形態では、前記表示装置５は、得点を数値でデジタル表示するための上段のデジタル表示部５ａと、手牌とドラ牌とを表示するために縦に５個、横に２７個の牌が表示された下段の麻雀牌表示部５ｂと、で形成されている。該麻雀牌表示部５ｂは、その後方に配設された図示しないＬＥＤ等の光源によって、その後ろから照らされるようになっている。また、前記操作盤６上には、操作手段として、多数の操作ボタン８が配設されている。
【００１６】
本実施の形態では、前記表示装置５を、前記盤面７から分離して、その外部、具体的には、前記パチンコ盤３の下方に配置している。この点は、従来のパチンコ盤が、その盤面の一部に（例えば、フィールド面の中央部等）に表示部を設け、フィールド面における表示部以外の領域をパチンコ玉の遊動エリアとしていたのとは異なっている。そして、本実施の形態では、前記盤面７の全体を、パチンコ玉の遊動可能領域として使用している。このため、前記ゲーム機１においては、盤面全体の縦横の寸法を従来のものから変更することなく、パチンコ玉の遊動可能領域を、従来のものより大きくすることができた。これにより、前記盤面７上におけるパチンコ玉障害物の配置や設計の自由度が増すので、パチンコ玉の動きの躍動性や意外性を十分に高めることが可能となる。よって、パチンコゲーム機としての面白みを増大させることができる。
【００１７】
図２に示すように、前記パチンコ盤３は、多数のパチンコ釘やパチンコ玉の障害物等が付設された前記盤面７と、該盤面７をその真近で覆って該盤面７との間にパチンコ玉の遊動空間Ｓ１を形成する透明な内カバー９と、を備えている。該内カバー９は、透明ガラス板や透明プラスチック板等で形成され、前記盤面７に対して開閉自在となっている。
【００１８】
前記内カバー９の外側には、該内カバー９と同様に前記盤面７を覆って前記ゲーム機１の前面を構成する透明な外カバー４が配設されている。該外カバー４は、前記筐体２にヒンジ等を用いて取着され、保守点検作業時等には開くことができるようになっている。前記外カバー４も、前記内カバー９と同じく、透明ガラス板や透明プラスチック板等で形成されている。
【００１９】
前記外カバー４と前記内カバー９との間には、例えば、幅１０ｃｍ程度の光空間Ｓ２が設けられている。すなわち、前記パチンコ盤３は、前記外カバー４から後方へ１０ｃｍ程度奥まった位置に配置されたかたちになっている。
【００２０】
前記ゲーム機１は、前記盤面７の全体を明るく照らす光を供給するための光源１０を備えている。この光源１０からは、前記盤面７の全体に、遊技に必要且つ十分な量の光が供給される。このため、たとえ前記ゲーム機１の周囲の明るさが十分でなくても、前記盤面７に対面する遊技者にとって、パチンコ玉の動きや前記盤面７の全体が見やすく、遊技による疲労感も少ない。
【００２１】
前記光源１０としては、限定はされないが、光の柔らかさや明るさ等の点から、蛍光灯を用いることができる。本実施の形態では、前記蛍光灯１０として棒状の蛍光灯を用い、前記光空間Ｓ２の上方に、その長さ方向を前記盤面７の横幅方向と一致させて配置している。前記蛍光灯１０からは、遊技に必要且つ十分な量の柔らかで明るい光が、前記盤面７の上方から前記光空間に供給され、これにより、該盤面７の全体が明るく照らされる。よって、前記盤面７に対面する遊技者にとって、パチンコ玉の動きや前記盤面７が一層見やすくなり、遊技による目の疲れ等も大幅に軽減される。
【００２２】
また、前記ゲーム機１は、前記盤面７に対面する遊技者の目に前記蛍光灯１０からの光が直接入ることを防止する光源カバー１１を備えている。該光源カバー１１は、横長の長方形状のプラスチック等からなる装飾パネルであり、前記蛍光灯１０の前方（遊技者側）に位置するように前記筐体２に取着され、前記外カバー４とともに前記ゲーム機１の前面を構成している。前記光源カバー１１は、前記蛍光灯１０の光が遊技者の目に直接入射するのを阻止する。このため、遊技者の目が保護され、遊技による疲労感がより一層少なくなる。
【００２３】
なお、前記筐体２内の最上部には、前記ゲーム機１の内部からその全体に光を供給する主光源としての蛍光灯１２が配設されている。
【図面の簡単な説明】
【図１】本発明の一実施の形態に係るゲーム機の全体斜視図である。
【図２】図１の縦断面図である。
【符号の説明】
３    パチンコ盤（パチンコゲーム部）
４    透明カバー（外カバー）
５    麻雀ゲーム部（表示装置）
５ｂ  表示部（麻雀牌表示部）
７    盤面（パチンコ盤面）
９    透明カバー（内カバー）
１０  光源（蛍光灯）
【図１】
2004222883.tif 000003
【図２】
2004222883.tif 000004